Podtech/llm-jp-corpus-v4-ja_patent huggingface dataset:
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
口腔ケア装置を用いてユーザの口腔内の歯肉炎の位置を特定するための方法であって、
前記口腔ケア装置の１つ以上の発光器により光を発するステップと、
前記ユーザ口腔内の複数の位置のそれぞれにおいて、前記口腔ケア装置の光検出器により表面からの反射率を検出して、前記複数の位置のそれぞれについての反射率データを生成するステップと、
前記口腔ケア装置のコントローラにより、前記複数の位置のうちどれが歯肉を有するかを決定するステップと、
前記複数の位置のそれぞれについて、コントローラにより、当該位置における歯肉に炎症があるか否かを決定するステップと、
前記口腔ケア装置のユーザインタフェースを介して、炎症のある位置に関する情報をユーザに提供するステップと、
を有する方法。
【請求項２】
前記１つ以上の発光器及び光検出器は、前記複数の位置のそれぞれにおける表面が前記１つ以上の発光器によって直接に照明されないよう配置された、請求項１に記載の方法。
【請求項３】
前記複数の位置のうちどれが歯肉を有するかを決定するステップは、歯肉を有さないと決定された位置についての前記反射率データを破棄するステップを有する、請求項１に記載の方法。
【請求項４】
前記歯肉を有さないと決定された位置についての反射率データを破棄するステップは、前記複数の位置のそれぞれについて反射率比を生成するステップであって、前記反射率比は、前記反射率データの第２の波長について測定されたデータに対する、前記反射率データの第１の波長について測定された値を有するステップと、前記生成された反射率比を所定の閾値と比較するステップと、前記生成された反射率比が前記所定の閾値を下回る前記複数の位置のそれぞれについての反射率データを破棄するステップと、を有する、請求項３に記載の方法。
【請求項５】
前記複数の位置のうちどれが歯肉を有するかを決定するステップは、前記複数の位置のうち少なくとも幾つかについての反射率データの生成に重み付けするステップを有する、請求項１に記載の方法。
【請求項６】
前記当該位置における歯肉に炎症があるか否かを決定するステップは、前記複数の位置の残りのそれぞれにおける歯肉の近似的な組織酸化レベルを決定するステップを有し、低い組織酸化レベルは歯肉炎を示唆する、請求項１に記載の方法。
【請求項７】
前記口腔ケア装置は、単一の発光器及び複数の光検出器を有する、請求項１に記載の方法。
【請求項８】
前記口腔ケア装置は、単一の光検出器及び複数の発光器を有する、請求項１に記載の方法。
【請求項９】
ユーザの口腔内の歯肉炎の位置を特定するよう構成された装置であって、
前記ユーザの口腔内の複数の位置において光を発するよう構成された、１つ以上の発光器と、
前記複数の位置のそれぞれにおける表面からの反射率データを生成するよう構成された、１つ以上の光検出器と、
前記複数の位置のそれぞれについて、当該位置における歯肉に炎症があるか否かを決定するよう構成された、コントローラであって、前記コントローラは更に、前記複数の位置のそれぞれについて、当該位置が歯肉を有するか否かを決定するよう構成された、コントローラと、
炎症のある位置に関する情報をユーザに提供するよう構成された、ユーザインタフェースと、
を有する装置。
【請求項１０】
前記１つ以上の発光器及び光検出器は、前記複数の位置のそれぞれにおける表面が前記１つ以上の発光器によって直接に照明されないよう配置された、請求項９に記載の装置。
【請求項１１】
前記複数の位置のうちどれが歯肉を有するかを決定するステップは、前記複数の位置のそれぞれについて反射率比を生成するステップであって、前記反射率比は、前記反射率データの第２の波長について測定されたデータに対する、前記反射率データの第１の波長について測定された値を有するステップと、前記生成された反射率比を所定の閾値と比較するステップと、前記生成された反射率比が前記所定の閾値を下回る前記複数の位置のそれぞれについての反射率データを破棄するステップと、を有する、請求項９に記載の装置。
【請求項１２】
ユーザの口腔内の歯肉炎の位置を特定するよう構成された炎症位置特定システムであって、
前記ユーザの口腔内に光を発するよう構成された１つ以上の光源をそれぞれ有する、１つ以上の発光器と、
前記ユーザの口腔内の複数の位置のそれぞれにおける表面からの反射率データを生成するよう構成された、１つ以上の光検出器と、
前記複数の位置のそれぞれについて、当該位置における歯肉に炎症があるか否かを決定するよう構成された炎症検出及び位置特定モジュールを有する、コントローラであって、前記コントローラは更に、前記複数の位置のどれが歯肉を有するかを決定するよう構成された、コントローラと、
前記炎症のある位置に関する情報をユーザに提供するよう構成された、ユーザインタフェースと、
を有するシステム。
【請求項１３】
前記１つ以上の発光器及び光検出器は、前記複数の位置のそれぞれにおける表面が前記１つ以上の発光器によって直接に照明されないよう配置された、請求項１２に記載のシステム。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
患者の糖尿病管理のためのシステムであって、前記システムは：
前記患者のグルコースレベルに関するグルコースデータを受信するように構成された入力デバイスと；
ベーサルレート及びボーラスのうちの少なくとも一方を含む薬物送達パラメータに従って、前記患者にインスリンを送達するように構成された送達デバイスと；
少なくとも１つのグルコースデータと、前記患者の前記薬物送達パラメータ及び炭水化物対インスリン比（ＣＩＲ）情報のうち少なくとも１つとを記憶するように構成されたメモリ装置、及び
プロセッサー及びコンピュータで実行可能な命令を含むチューニングモジュールを含み、
前記チューニングモジュールは、前記コンピュータで実行可能な命令が前記プロセッサーによって実行されると：
前記メモリ装置から、最初の期間にわたる少なくとも２つのグルコースデータを取得し、
前記メモリ装置から、前記最初の期間にわたり前記送達装置によって実行される前記薬物送達パラメータと前記ＣＩＲのうちの少なくとも一つを取得し、
前記ベーサルレートと前記ＣＩＲのうちの少なくとも１つの修正を含む前記治療法の修正を前記取得したデータの少なくとも一部に基づいて決定し、
前記治療法の修正は、前記送達デバイスによって後続の期間に使用されることを意図されており、かつ
前記グルコースデータは血糖自己監視装置によって提供される
前記患者の糖尿病管理のためのシステム。
【請求項２】
前記治療法の修正の少なくとも一部を表示するように構成された視覚ディスプレイを含むユーザーインターフェースをさらに備える、請求項１に記載のシステム。
【請求項３】
前記チューニングモジュールは、前記治療法のモジュールを前記患者に提案するように構成され、前記送達装置は、前記患者が前記治療法の修正を受け入れる場合にのみ前記治療法の修正を適用するように構成される、請求項２に記載のシステム。
【請求項４】
前記チューニングモジュールは、前記患者の前記通常の診療を学習し、前記治療法の修正を決定するための前記患者の使用を考慮するように構成される、請求項１から３のいずれか一項に記載のシステム。
【請求項５】
前記患者の前記通常の診療は、前記患者によって入力されたデータの間違い及び前記患者の食事に含まれる炭水化物の過大評価又は過小評価の少なくとも１つである、請求項４に記載のシステム。
【請求項６】
前記チューニングモジュールは、前記期間にわたって前記患者によって摂食される少なくとも１つの食事の前記炭水化物に関連するデータを取得するように構成されている、請求項１から５のいずれか一項に記載のシステム。
【請求項７】
前記コンピュータで実行可能な命令は、期間ごとに患者の血糖の１０又は８又は５未満の測定値を考慮する、請求項１から６のいずれか一項に記載のシステム。
【請求項８】
前記チューニングモジュールは、いくつかの期間の前記取得されたデータの少なくとも一部を考慮することにより前記決定のプロセスを改善するように構成される、請求項１から７のいずれか一項に記載のシステム。
【請求項９】
前記期間の継続時間が予め定められているか又は可変であり、１時間から３６時間の間を含む、請求項１から８のいずれか一項に記載のシステム。
【請求項１０】
前記チューニングモジュールは、前記最初の期間の少なくとも一部の間に送達された薬物の前記有効量を決定するように構成される、請求項１から９のいずれか一項に記載のシステム。
【請求項１１】
前記チューニングモジュールの前記コンピュータで実行可能な命令を起動するように構成された起動装置をさらに備える、請求項１から１０のいずれか一項に記載のシステム。
【請求項１２】
前記起動装置は、前記患者によって起動される、請求項１１に記載のシステム。
【請求項１３】
前記起動装置は、前記期間の前記患者の前記グルコースレベルの最後の測定後に前記患者によって起動される、請求項１１に記載のシステム。
【請求項１４】
前記チューニングモジュールは、俳優批評家（Ａｃｔｏｒ  Ｃｒｉｔｉｃ）学習アルゴリズムを使用する、請求項１から１３のいずれか一項に記載のシステム。
【請求項１５】
データが、血糖自己監視装置又は連続グルコース監視装置のいずれかであるグルコース監視装置をさらに備える、請求項１から１４のいずれか一項に記載のシステム。
【請求項１６】
コンピュータシステム内の少なくとも１つのプロセッサーが薬物送達パラメータ及び／又は炭水化物対インスリン比（ＣＩＲ）情報を、血糖自己監視装置と連続グルコース監視装置（ＣＧＭ）の間で使用されるグルコース監視装置のタイプに依らず決定可能であるコンピュータプログラムロジックを有する非一時的コンピュータ使用可能媒体を含むコンピュータプログラム製品であって、前記コンピュータプログラムロジックは：
最初の期間にわたって実行された患者のグルコースレベルの少なくとも２つの測定値を得るステップと、；
ベーサルレート及びボーラスの少なくとも一つを含む前記最初の期間にわたって実行される薬物送達パラメータ、及び／又は前記最初の期間中のボーラスを計算するために使用される前記患者のＣＩＲのうちの少なくとも１つを取得するステップと、
前記取得されたデータを考慮して、後続の期間に使用することが可能性な薬物送達パラメータ及び／又はＣＩＲを決定するステップを含む、
前記コンピュータプログラム製品。
【請求項１７】
閉ループ装置の監視に適合した方法であって、前記方法は、
最初の期間にわたって実行された患者のグルコースレベルの少なくとも２つの測定値を得るステップと、
ベーサルレート及びボーラスの少なくとも一方を含む、前記最初の期間にわたって実行される薬物送達パラメータ、及び／又は前記最初の期間中のボーラスを計算するために使用される前記患者のＣＩＲのうちの少なくとも１つを取得するステップと、；
前記取得されるデータを考慮に入れて、後続の期間に使用できるベーサルレート及び／又はＣＩＲの少なくとも一方を含む受け入れ可能なデータのセットを決定するステップと、；
前記受け入れ可能なデータのセットを、後続の期間で閉ループ装置によって計算される前記データと比較するステップ；又は前記受け入れ可能なデータのセットを、後続の期間に使用することを目的とした前記薬物送達パラメーター（又はＣＩＲ）と比較するステップと  を含み、
前記患者又はユーザーに警告するステップか、又は前記受け入れ範囲に適合する別の薬物送達パラメータを提案するステップをさらに含む、方法。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
ニードルガイドを制御する装置であって、
第１のレバーと、
第２のレバーと、
前記第１のレバーに取り付けられ、前記第１のレバーから前記ニードルガイドの下のハウジングまで延在する第１のカムと、
前記第２のレバーに取り付けられ、前記第２のレバーから前記ニードルガイドの下の前記ハウジングまで延在する第２のカムと、
を有し、
前記第１のカム及び前記第２のカムの少なくとも一方が、前記第１のレバー及び前記第２のレバーからの回転運動を、前記ハウジングを通じて前記ニードルガイドの直線運動及び回転運動の両方に変換するように構成される、装置。
【請求項２】
前記第１のレバーからの回転運動を前記ハウジングに実質的に水平に伝える、前記第１のカムと一体化された第１装置と、
前記第２のレバーからの回転運動を前記ハウジングに実質的に水平に伝える、前記第２のカムと一体化された第２装置と、
を有する、請求項１に記載の装置。
【請求項３】
前記ハウジングは、前記第１のカムからの回転運動を前記ハウジングを介して直線運動に変換するように構成される第１のギアを有し、前記ハウジングは、前記第２のカムからの回転運動を前記ハウジングを介して直線運動に変換するように構成される第２のギアを有する、請求項１に記載の装置。
【請求項４】
前記ニードルガイドは、グリッドプレートを有し、
前記第１のレバー及び前記第２のレバーが一緒に動かされる場合、前記グリッドプレートがほぼ垂直に移動する、請求項１に記載の装置。
【請求項５】
前記ニードルガイドは、グリッドプレートを有し、
前記第１のレバーが動かされ、前記第２のレバーが静止状態に維持される場合、前記グリッドプレートは、ピボットを中心に回転されながら該ピボットを中心とする位置に保持される、請求項１に記載の装置。
【請求項６】
前記ニードルガイドの回転運動は、軸を中心に前記ニードルガイドを傾ける、請求項１に記載の装置。
【請求項７】
前記第１のカム及び前記第２のカムの少なくとも一方が、前記第１のレバー及び前記第２のレバーの少なくとも一方からの運動を、前記ハウジングを介して前記ニードルガイドの直線運動に変換する場合、前記軸が移動される、請求項６に記載の装置。
【請求項８】
前記装置が経会陰ステッパを有する、請求項１に記載の装置。
【請求項９】
ニードルガイドを更に有し、前記ニードルガイドがグリッドプレートを有する、請求項１に記載の装置。
【請求項１０】
前記グリッドプレートは、前記第１のレバー及び前記第２のレバーの少なくとも一方を操作することによりガイドされ、それにより、前記グリッドプレートの複数の穴のうちの１つが、標的ロケーションとアラインするように移動される、請求項９に記載の装置。
【請求項１１】
前記第１のレバー及び前記第２のレバーは、前記ニードルガイドの下の前記ハウジングから水平方向にオフセットしたところに設けられる、請求項１に記載の装置。
【請求項１２】
前記第２のレバーが静止状態に維持され、前記第１のレバーが第１の軸を中心に回転される場合、前記ニードルガイドは、ピボットを中心とする位置に保持されながら、前記ニードルガイドは、前記第１のレバーによって前記ピボットを中心に回転される、請求項１に記載の装置。
【請求項１３】
標的ロケーションの画像をリアルタイムに生成するために使用されるデータを捕らえる撮像装置を更に有する、請求項１に記載の装置。
【請求項１４】
軸を中心とする前記第１のレバー及び前記第２のレバーの少なくとも一方の運動は、前記ニードルガイドへの直線変換において低下され、前記ニードルガイドの垂直運動及び回転運動は、前記標的ロケーションの画像においてリアルタイムに拡大される、請求項１３に記載の装置。
【請求項１５】
セントラライザ部を更に有する、請求項１に記載の装置。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
マシン実行可能な命令を格納するメモリと、
プロセッサと、
を有し、前記マシン実行可能な命令の実行が前記プロセッサに、
磁気共鳴画像を受信させ、
前記磁気共鳴画像を記述するメタデータであって、２以上の組織型を各々参照する数値として基準グレイスケール値データを有するメタデータを受信させ、
前記基準グレイスケール値データに基づいて修正される画像セグメンテーションアルゴリズムを用いて、前記磁気共鳴画像を分割させる、
医療用撮像システム。
【請求項２】
磁気共鳴撮像システムを有すると共に、該磁気共鳴撮像システムを制御して磁気共鳴データを取得するためのパルスシーケンスコマンドを更に有し、前記マシン実行可能な命令の実行が当該医療用撮像システムに、更に、
前記パルスシーケンスコマンドを使用して前記磁気共鳴撮像システムを制御することにより前記磁気共鳴データを取得させ、
前記磁気共鳴データから前記磁気共鳴画像を再構成させ、
前記基準グレイスケール値データを発生させる、
請求項１に記載の医療用撮像システム。
【請求項３】
前記画像セグメンテーションアルゴリズムの修正が、前記磁気共鳴画像を分割する前に前記基準グレイスケール値データを用いて境界検出アルゴリズムを修正するステップを含む、請求項２に記載の医療用撮像システム。
【請求項４】
前記マシン実行可能な命令の実行が前記プロセッサに、更に、前記磁気共鳴画像内の２以上の組織型の各々に対応する複数のファントム領域を識別させ、前記基準グレイスケール値データが前記磁気共鳴画像を用いて少なくとも部分的に決定される、請求項２又は３に記載の医療用撮像システム。
【請求項５】
前記磁気共鳴撮像システムは撮像コイルを有し、該撮像コイルが前記２以上の組織型の各々のための磁気共鳴ファントムを有する、請求項２、３又は４に記載の医療用撮像システム。
【請求項６】
前記２以上の組織型の各々のための磁気共鳴ファントムは互いに対して予め定められた幾何学的位置を有し、複数のファントム領域が該予め定められた幾何学的位置を用いて少なくとも部分的に識別される、請求項５に記載の医療用撮像システム。
【請求項７】
前記２以上の組織型の各々のための磁気共鳴ファントムが、前記２以上の組織型をモデル化する陽子密度、Ｔ１値及びＴ２値を持つファントム材料を有する、請求項６に記載の医療用撮像システム。
【請求項８】
前記画像セグメンテーションアルゴリズムは前記磁気共鳴画像を分割するための解剖地図マッチングアルゴリズムを有し、該解剖地図マッチングアルゴリズムが前記基準グレイスケール値データを用いて調整される、請求項１から７の何れか一項に記載の医療用撮像システム。
【請求項９】
前記画像セグメンテーションアルゴリズムは前記磁気共鳴画像を分割するためのメッシュモデルを有し、該メッシュモデルが前記基準グレイスケール値データを用いて調整される、請求項１から７の何れか一項に記載の医療用撮像システム。
【請求項１０】
前記画像セグメンテーションアルゴリズムは個々のボクセルをグレイスケール値及び当該個々のボクセルの近隣ボクセルを用いて分類することにより前記磁気共鳴画像を分割するボクセル分類部を有し、前記ボクセル前記基準グレイスケール値データを用いて調整される、請求項１から７の何れか一項に記載の医療用撮像システム。
【請求項１１】
前記マシン実行可能な命令の実行が前記プロセッサに、更に、
前記磁気共鳴画像のグレイ値を基準間隔に再スケーリングさせ、
前記基準グレイスケール値データを前記基準間隔に再スケーリングさせる、
請求項１から１０の何れか一項に記載の医療用撮像システム。
【請求項１２】
前記メタデータが前記磁気共鳴画像のＤＩＣＯＭヘッダ内に含まれる、請求項１から１１の何れか一項に記載の医療用撮像システム。
【請求項１３】
医療用撮像システムを制御するプロセッサによる実行のためのマシン実行可能な命令を有するコンピュータプログラムであって、前記マシン実行可能な命令の実行が前記プロセッサに、
磁気共鳴画像を受信させ、
前記磁気共鳴画像を記述するメタデータであって、２以上の組織型を各々参照する数値として基準グレイスケール値データを有するメタデータを受信させ、
前記磁気共鳴画像を、前記基準グレイスケール値データに基づいて修正される画像セグメンテーションアルゴリズムを用いて分割させる、
コンピュータプログラム。
【請求項１４】
医療用撮像システムを動作させる方法であって、
磁気共鳴画像を受信するステップ、
前記磁気共鳴画像を記述するメタデータであって、２以上の組織型を各々参照する数値として基準グレイスケール値データを有するメタデータを受信するステップ、及び
前記磁気共鳴画像を、前記基準グレイスケール値データに基づいて修正される画像セグメンテーションアルゴリズムを用いて分割するステップ、
を有する、方法。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
液体ヘリウムタンクと、
前記液体ヘリウムタンク内に配置された超電導磁石巻線と、
前記液体ヘリウムタンクの周りを囲む真空ボリュームを含む真空ジャケット壁と、
前記真空ボリューム内に配置され、前記液体ヘリウムタンクの周りを囲むサーマルシールドと、
前記サーマルシールドに固定され、前記液体ヘリウムタンクと流体連通する入口及び周囲空気と流体連通する出口を有する流体通路を含む熱交換器と、
を含む、超電導磁石。
【請求項２】
前記真空ボリュームと前記液体ヘリウムタンクとを隔てる、前記真空ジャケット壁の内側真空ジャケット壁を通る入口流体導管を更に含み、前記入口流体導管は、前記液体ヘリウムタンクを前記熱交換器の前記流体通路の前記入口に接続する、請求項１に記載の超電導磁石。
【請求項３】
前記真空ジャケット壁の外側真空ジャケット壁を通り、前記熱交換器の前記流体通路の前記出口を周囲空気に接続する出口流体導管を更に含む、請求項１又は２に記載の超電導磁石。
【請求項４】
前記熱交換器は、サーマルバスであり、前記サーマルバスを通る前記流体通路は、前記サーマルバスの材料が、前記サーマルバスを通る前記流体通路の壁を画定するように前記サーマルバスを通る開口である、請求項１から３の何れか一項に記載の超電導磁石。
【請求項５】
前記熱交換器は、サーマルバスであり、前記サーマルバスを通る前記流体通路は、前記流体通路の壁を形成するために、前記サーマルバスとは別箇で、前記サーマルバスに埋め込まれた導管を含む、請求項１から３の何れか一項に記載の超電導磁石。
【請求項６】
前記熱交換器の前記流体通路は、蛇行流体通路を含む、請求項１から５の何れか一項に記載の超電導磁石。
【請求項７】
前記熱交換器の前記流体通路は、複数の流体通路を含む、請求項１から６の何れか一項に記載の超電導磁石。
【請求項８】
前記複数の流体通路の入口を接続する入口マニホルドと、
前記複数の流体通路の出口を接続する出口マニホルドと、
を更に含む、請求項７に記載の超電導磁石。
【請求項９】
前記真空ジャケット壁に溶接され、前記真空ボリューム内に配置された第１ステージコールドステーション及び前記液体ヘリウムタンク内に配置された第２ステージコールドステーションを有するコールドヘッドを更に含み、
前記熱交換器は、熱伝導性接続部によって、前記第１ステージコールドステーションに接続されるサーマルバスである、請求項１から８の何れか一項に記載の超電導磁石。
【請求項１０】
前記サーマルシールドは、互いから離間される１つ以上のサーマルシールド層を含み、各サーマルシールド層は、高熱伝導性シートを含み、前記熱交換器は、高熱伝導性材料を含む、請求項１から９の何れか一項に記載の超電導磁石。
【請求項１１】
前記熱交換器は、前記サーマルシールドに溶接されるか又はろう付けされる、請求項１から１０の何れか一項に記載の超電導磁石。
【請求項１２】
形状がほぼ円筒形で、水平方向ボアを画定する、請求項１から１１の何れか一項に記載の超電導磁石と、
前記超電導磁石によって前記水平方向ボア内に生成された静磁場に傾斜磁場を重ね合わせるように配置された１組の傾斜磁場コイルと、
を含む、磁気共鳴撮像（ＭＲＩ）デバイス。
【請求項１３】
液体ヘリウムタンクと、前記液体ヘリウムタンク内に配置された超電導磁石巻線と、前記液体ヘリウムタンクの周りを囲む真空ボリュームを含む真空ジャケット壁と、前記真空ジャケット壁に溶接され、前記真空ボリューム内に配置された第１ステージコールドステーション及び前記液体ヘリウムタンク内に配置された第２ステージコールドステーションを有するコールドヘッドと、前記真空ボリューム内に配置され、前記液体ヘリウムタンクの周りを囲むサーマルシールドと、前記サーマルシールドに固定され、前記第１ステージコールドステーションに熱的に接続されるサーマルバスと、を含む超電導磁石と共に行われる方法であって、
前記コールドヘッドをオフにするステップと、
前記コールドヘッドがオフにされている間に、前記サーマルバスを通る流体通路を介して、前記液体ヘリウムタンクから周囲空気中へと気体ヘリウムを流すステップと、
を含む、方法。
【請求項１４】
前記コールドヘッドがオフにされている間に、前記超電導磁石を輸送するステップを更に含み、これにより、前記サーマルバスを通る前記流体通路を介する前記液体ヘリウムタンクから周囲空気中への気体ヘリウムの流れが、輸送中のヘリウムボイルオフを低減する、請求項１３に記載の方法。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
ボクセルで構成されたスペクトラルコンピュータトモグラフィボリューム画像データを受信するためのデータ入力部であって、前記ボリューム画像データは被検者身体内の心臓領域の造影ボリューム画像及び該心臓領域の基準ボリューム画像を有し、該基準ボリューム画像は前記被検者の基準生体構造情報を伝達する一方、前記造影ボリューム画像が該被検者の冠動脈生体構造に関する生体構造情報を伝達するデータ入力部と、
前記ボリューム画像データに基づいて三次元冠動脈ツリーモデルを生成する又は入力として受信すると共に、該三次元冠動脈ツリーモデルに基づいて冠動脈血流をシミュレーションする血液シミュレータと、
異なる時点における組織内の血液分布を表す灌流画像の時間系列を、前記冠動脈血流のシミュレーションによって、且つ、前記基準ボリューム画像を灌流合成のための参照として使用して生成する灌流合成ユニットと、
を有する、画像処理装置。
【請求項２】
前記データ入力部は前記基準ボリューム画像を前記心臓領域の仮想非造影ボリューム画像の形で有する前記ボリューム画像データを受信し、前記造影ボリューム画像及び前記仮想非造影ボリューム画像が単一のスペクトラルＣＴ取得シーケンスにおいて得られる同一のスペクトラル心臓ＣＴデータセットに基づくものである、請求項１に記載の画像処理装置。
【請求項３】
前記血流シミュレータが、前記三次元冠動脈ツリーモデルを少なくとも前記ボリューム画像データにおける前記造影ボリューム画像に基づいて生成するための冠動脈ツリーセグメンテーションユニットを有する、請求項１又は請求項２に記載の画像処理装置。
【請求項４】
前記血流シミュレータが、前記冠動脈血流を、前記三次元冠動脈ツリーモデルと非画像化接続血管構造との間の境界をモデル化するための境界条件モデルを考慮に入れることによりシミュレーションする、請求項１から３の何れか一項に記載の画像処理装置。
【請求項５】
前記血流シミュレータが、前記境界条件モデルを各冠動脈出口の断面積に基づくものである前記非画像化血管構造の流体力学的抵抗を考慮に入れて決定する境界条件プロセッサを有する、請求項４に記載の画像処理装置。
【請求項６】
前記灌流合成ユニットが、前記ボリューム画像データにおける心筋給血領域を前記三次元冠動脈ツリーモデルにおける各冠動脈に関して決定する、請求項１から５の何れか一項に記載の画像処理装置。
【請求項７】
前記灌流合成ユニットが、各冠動脈に関する前記心筋給血領域を、前記ボリューム画像データを前記冠動脈ツリーモデルに関係付けるボロノイ図を計算することにより決定する、請求項６に記載の画像処理装置。
【請求項８】
前記灌流合成ユニットが、各冠動脈に関する前記心筋給血領域を、前記冠動脈ツリーモデル及び／又は前記ボリューム画像データを用いて汎用給血モデルを特定の被検者に位置合わせすることにより決定する、請求項６に記載の画像処理装置。
【請求項９】
前記灌流合成ユニットが、前記少なくとも１つの時点における当該心筋の少なくとも１つのボクセルにおける造影剤の量を、該少なくとも１つのボクセルが属する前記心筋給血領域に対応する冠動脈における前記冠動脈血流のシミュレーションによる血流に基づいて、且つ、血液拡散モデルに基づいて計算する、請求項６から８の何れか一項に記載の画像処理装置。
【請求項１０】
前記灌流合成ユニットが、前記少なくとも１つのボクセル及び前記少なくとも１つの時点に関して、画像ボクセル値を、該少なくとも１つの時点における前記少なくとも１つのボクセル内の造影剤の量を示すボクセル値を前記基準ボリューム画像の画像ボクセル値に加算することにより計算する、請求項９に記載の画像処理装置。
【請求項１１】
前記灌流合成ユニットが、前記灌流画像を、該灌流画像と前記少なくとも１つの計算されたボクセルを有する画像との間の画像距離尺度、及び、前記灌流画像の画像品質尺度を表す正則化項の結合を反復的に最小化することにより合成する、請求項１０に記載の画像処理装置。
【請求項１２】
請求項１から１１の何れか一項に記載の画像処理装置を有する、コンピュータトモグラフィワークステーション。
【請求項１３】
請求項１から１１の何れか一項に記載の画像処理装置を有する、スペクトラルコンピュータトモグラフィシステム。
【請求項１４】
ボクセルで構成されたスペクトラルコンピュータトモグラフィボリューム画像データを受信するステップであって、前記ボリューム画像データは被検者身体内の心臓領域の造影ボリューム画像及び該心臓領域の基準ボリューム画像を有し、前記造影ボリューム画像が前記被検者の冠動脈生体構造に関する生体構造情報を伝達するステップと、
前記ボリューム画像データに基づいて三次元冠動脈ツリーモデルを生成する又は入力として受信するステップと、
前記三次元冠動脈ツリーモデルに基づいて冠動脈血流をシミュレーションするステップと、
異なる時点における組織内の血液分布を表す灌流画像の時間系列を、前記冠動脈血流のシミュレーションによって、且つ、前記基準ボリューム画像を灌流合成のための参照として使用して生成するステップと、
を有する、ボリューム画像処理のための方法。
【請求項１５】
計算システムのプロセッサにより実行された場合に、該計算システムに請求項１４に記載の方法を実行させる１以上のコンピュータ実行可能な命令によりエンコードされた、コンピュータ読取可能な記憶媒体。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
患者を照射することにより患者を撮像するための格子ベースの暗視野及び／又は位相コントラストＸ線撮像用のラジオグラフィシステムであって、前記ラジオグラフィシステムは、
線源ユニットと、
検出ユニットと、
患者当接面を有する患者支持ユニットと、
を含み、
前記線源ユニットは、第１の格子及び第２の格子を含み、前記検出ユニットは、第３の格子を含み、
前記第１の格子と前記第２の格子との間の距離が、前記第２の格子と前記第３の格子との間の距離よりも小さい反転配置が利用され、
前記線源ユニットと前記検出ユニットとは、光軸に沿って配置され、前記患者支持ユニットは、前記線源ユニットと前記検出ユニットとの間に配置され、
前記光軸に沿った前記線源ユニットと前記患者当接面との間の当接距離は、感度と視野との間のトレードオフが患者固有に達成可能であるように、撮像の際に実際の感度を調整するために調整可能であり、
前記ラジオグラフィシステムは、視野が関心領域と一致するまで、前記線源ユニットと照射対象の前記患者との間のターゲット距離を決定して、前記ターゲット距離を使用して前記当接距離を調整させる、ラジオグラフィシステム。
【請求項２】
前記光軸に沿った前記線源ユニットと前記患者当接面との間の前記当接距離は、前記患者支持ユニットを動かすことにより調整可能である、請求項１に記載のラジオグラフィシステム。
【請求項３】
前記光軸に沿った前記線源ユニットと前記患者当接面との間の前記当接距離は、離散的に調整可能である、請求項１又は２に記載のラジオグラフィシステム。
【請求項４】
前記光軸に沿った前記線源ユニットと前記患者当接面との間の前記当接距離は、連続的に調整可能である、請求項１又は２に記載のラジオグラフィシステム。
【請求項５】
位置検出デバイスと、
画像生成ユニットと、
を含み、
前記位置検出デバイスは、前記患者当接面の実際の位置を決定して、前記実際の位置を前記画像生成ユニットに供給し、
前記画像生成ユニットは、前記実際の位置を使用して画像を生成する、請求項１から４の何れか一項に記載のラジオグラフィシステム。
【請求項６】
前記位置検出デバイスは、視野を示すための指示ユニットを含む、請求項５に記載のラジオグラフィシステム。
【請求項７】
前記位置検出デバイスは、前記線源ユニットと前記患者当接面との間の前記当接距離を決定し、
前記位置検出デバイスは、前記線源ユニットと前記患者当接面との間の前記当接距離を決定するステレオカメラを含む、請求項５又は６に記載のラジオグラフィシステム。
【請求項８】
照射対象の前記患者の幾何学的形状を決定し、前記幾何学的形状に基づいて前記視野を決定し、前記視野に基づいて前記線源ユニットと前記患者当接面との間の前記当接距離を決定する、請求項１から４の何れか一項に記載のラジオグラフィシステム。
【請求項９】
少なくとも２つの取得モードをサポートし、一方の取得モードでは、視野が広くて暗視野感度が低く、他方の取得モードでは、視野が狭くて暗視野感度が高い、請求項１から８の何れか一項に記載のラジオグラフィシステム。
【請求項１０】
請求項１から９の何れか一項に記載のラジオグラフィシステムを使用することにより、暗視野及び／又は位相コントラストＸ線画像を捕捉する方法であって、
ａ）前記光軸に沿って前記患者当接面と前記線源ユニットとの間の前記当接距離を調整させるステップと、
ｂ）前記患者当接面を一時的に固定するステップと、
ｃ）照射対象の前記患者を照射するステップと、
ｄ）暗視野及び／又は位相コントラストＸ線画像を捕捉するステップと、
を含み、
前記ステップａ）について、
ａ１）前記線源ユニットと前記患者当接面との間に照射対象の患者を配置するステップと、
ａ２）視野が関心領域と一致するまで、前記線源ユニットと前記照射対象の患者との間のターゲット距離を決定して、前記ターゲット距離を使用して前記当接距離を調整させるステップと、
ａ３）前記線源ユニットと前記照射対象の患者との間の調整された前記当接距離を画像生成ユニットに供給するステップと、
が設けられ、
前記画像生成ユニットは、前記線源ユニットと照射対象の前記患者との間の前記当接距離に基づく実際の感度を、画像を生成するために考慮に入れる、方法。
【請求項１１】
処理ユニットによって実行されると、請求項１０に記載の方法のステップを行う、請求項１から９の何れか一項に記載の装置を制御するためのコンピュータプログラム。
【請求項１２】
請求項１１に記載のコンピュータプログラムを格納した、コンピュータ可読媒体。
【手続補正２】
【補正対象書類名】明細書
【補正対象項目名】００３８
【補正方法】変更
【補正の内容】
【００３８】
一例では、離散位置は１ｃｍのステップを含む。別の例では、離散位置は１ｃｍから５ｃｍのステップを含む。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
カスタマイズされたインプラントのデータセットを作成するデバイスであって、
入力インターフェース及び出力インターフェースと、
処理ユニットと、
を含み、
前記入力インターフェースは、インプラントが挿入される患者の筋骨格系データセットを前記処理ユニットに提供し、
カスタマイズされたインプラントを製造するために、前記処理ユニットは、前記筋骨格系データセットに基づいて、カスタマイズされたインプラントのデータセットを生成し、
前記筋骨格系データセットは、
スペクトルコンピュータ断層撮影スキャナ、
スペクトルＸ線スキャナ、及び、
磁気共鳴断層撮影システムとコンピュータ断層撮影スキャナとの融合
の群のうちの少なくとも１つを含む様々な撮像モダリティによって生成され、
前記筋骨格系データセットは、骨形状のデータと、
骨密度、
骨の健康状態、並びに、
筋肉、腱及び筋膜の情報を含む、骨の周りを囲む組織構造
の群のうちの少なくとも１つのデータとからなる、デバイス。
【請求項２】
前記処理ユニットは更に、患者固有の負荷プロファイルも考慮して、前記カスタマイズされたインプラントのデータセットを生成し、
前記患者固有の負荷プロファイルは、前記患者の静的運動シナリオ及び動的運動シナリオを記述し、
前記患者固有の負荷プロファイルは、前記患者の自然な運動プロセスの主要な活動として、座ること、立つこと、サイクリングすること、走ること及び泳ぐことの群のうちの少なくとも１つをリストする、請求項１に記載のデバイス。
【請求項３】
前記カスタマイズされたインプラントのデータセットは、
インプラントのサイズ及び形状、
骨構造に対する前記インプラントの界面形状、
前記インプラント及び前記骨構造上の固定点の位置、
固定方法、及び、
使用される材料
の群のうちの少なくとも１つのデータを含む、請求項１又は２に記載のデバイス。
【請求項４】
前記処理ユニットは、機械的有限要素解析を用いて、患者固有の負荷プロファイルに関連する静的シミュレーション及び動的シミュレーションを実行する、請求項１から３の何れか一項に記載のデバイス。
【請求項５】
カスタマイズされたインプラントのデータセットを作成するシステムであって、
スペクトルスキャナと、
請求項１から４の何れか一項に記載のデバイスと、
を含み、
前記スペクトルスキャナは、患者のスペクトルデータを取得し、筋骨格系データセットを生成し、前記筋骨格系データセットを前記デバイスに提供する、システム。
【請求項６】
３Ｄプリンタを更に含み、
前記デバイスの出力インターフェースが、生成されたカスタマイズされたインプラントのデータセットを前記３Ｄプリンタに送信し、
前記３Ｄプリンタは、前記カスタマイズされたインプラントのデータセットに基づいて、インプラントを製造する、請求項５に記載のシステム。
【請求項７】
前記カスタマイズされたインプラントのデータセットに基づいて治療ガイダンスを提供する画像データセットを更に含む、請求項５又は６に記載のシステム。
【請求項８】
カスタマイズされたインプラントのデータセットを作成する方法であって、
ａ）インプラントが挿入される筋骨格系データセットを提供するステップと、
ｂ）前記筋骨格系データセットに基づいて、カスタマイズされたインプラントのデータセットを生成するステップと、
を含み、
前記筋骨格系データセットは、
スペクトルコンピュータ断層撮影スキャナ、
スペクトルＸ線スキャナ、及び、
磁気共鳴断層撮影システムとコンピュータ断層撮影スキャナとの融合、
の群のうちの少なくとも１つを含む様々な撮像モダリティによって生成され、
前記筋骨格系データセットは、骨形状のデータと、
骨密度、
骨の健康状態、並びに、
筋肉、腱及び筋膜の情報を含む、骨の周りを囲む組織構造
の群のうちの少なくとも１つのデータとからなる、方法。
【請求項９】
ａ１）患者固有の負荷プロファイルを提供するステップを更に含み、
ステップｂ）において、カスタマイズされたインプラントのデータセットを生成するステップは、前記患者固有の負荷プロファイルも考慮し、
前記患者固有の負荷プロファイルは、前記患者の静的運動シナリオ及び動的運動シナリオを記述し、
前記患者固有の負荷プロファイルは、前記患者の自然な運動プロセスの主要な活動として、座ること、立つこと、サイクリングすること、走ること及び泳ぐことの群のうちの少なくとも１つをリストする、請求項８に記載の方法。
【請求項１０】
前記カスタマイズされたインプラントのデータを生成するために、前記筋骨格系データセット及び前記患者固有の負荷プロファイルに基づいて、静的シミュレーション及び動的シミュレーションを実行するステップ、又は、
標準インプラントのデータセットを変更することによって、前記カスタマイズされたインプラントのデータを生成するために、前記筋骨格系データセット及び前記患者固有の負荷プロファイルに基づいて、静的シミュレーション及び動的シミュレーションを実行するステップを、
更に含む、請求項８又は９に記載の方法。
【請求項１１】
ｃ）前記カスタマイズされたインプラントのデータセットを、３Ｄプリンタに送信するステップと、
ｄ）前記カスタマイズされたインプラントのデータセットに基づいて、前記インプラントをプリントするステップと、
を更に含む、請求項８から１０の何れか一項に記載の方法。
【請求項１２】
処理ユニットによって実行されると、請求項８から１１の何れか一項に記載の方法のステップを行う、請求項１から４の何れか一項に記載のデバイス又は請求項５から７の何れか一項に記載のシステムを制御するためのコンピュータプログラム。
【請求項１３】
請求項１２に記載のコンピュータプログラムを格納した、コンピュータ可読媒体。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
ポリペプチドと薬学的に許容される担体とを含む組成物であって、
該ポリペプチドはアミノ酸配列
2020513418.tif 000001
またはその変異体を含み、ここで、X1は任意のアミノ酸であり、X2は任意のアミノ酸であり、X3は任意のアミノ酸である、
前記組成物。
【請求項２】
ポリペプチドがアミノ酸配列
2020513418.tif 000002
からなる、請求項1に記載の組成物。
【請求項３】
ポリペプチドがアミノ酸配列
2020513418.tif 000003
からなる、請求項1に記載の組成物。
【請求項４】
ポリペプチドがアミノ酸配列
2020513418.tif 000004
からなる、請求項1に記載の組成物。
【請求項５】
ポリペプチドが1つまたは2つのアミノ酸置換を有する、請求項1に記載の組成物。
【請求項６】
別の抗ウイルス化合物をさらに含む、請求項1〜5のいずれか一項に記載の組成物。
【請求項７】
カプセル剤、錠剤、丸剤、散剤、顆粒剤、またはゲル剤の形態にある、請求項1〜6のいずれか一項に記載の組成物。
【請求項８】
滅菌pH緩衝塩水溶液の形態にある、請求項1〜6のいずれか一項に記載の組成物。
【請求項９】
ポリペプチドが、アミド化およびアセチル化からなる群より選択される少なくとも1つのアミノ酸修飾を有する、請求項1〜8のいずれか一項に記載の組成物。
【請求項１０】
ウイルス感染を予防または処置するための、請求項1〜9のいずれか一項記載の組成物。
【請求項１１】
ウイルス感染がジカウイルスである、請求項10に記載の組成物。
【請求項１２】
ウイルス感染がデングウイルスである、請求項10に記載の組成物。
【請求項１３】
ウイルス感染がインフルエンザウイルスである、請求項10に記載の組成物。
【請求項１４】
ウイルス感染がHIVウイルスである、請求項10に記載の組成物。
【請求項１５】
2020513418.tif 000005
を含むアミノ酸配列を含み、ここで、X1は任意のアミノ酸であり、X2は任意のアミノ酸であり、X3は任意のアミノ酸である、ポリペプチド。
【請求項１６】
X1がAである、請求項15に記載のポリペプチド。
【請求項１７】
X3がAである、請求項15に記載のポリペプチド。
【請求項１８】
異種プロモーターと機能的に組み合わされた、請求項15〜17のいずれか一項に記載のポリペプチドをコードする核酸。
【請求項１９】
請求項18に記載の核酸を含むベクター。
【請求項２０】
請求項19に記載のベクターを含む発現システム。
【手続補正２】
【補正対象書類名】明細書
【補正対象項目名】００２４
【補正方法】変更
【補正の内容】
【００２４】
[本発明1001]
ポリペプチドと薬学的に許容される担体とを含む組成物であって、
該ポリペプチドはアミノ酸配列
2020513418.tif 000006
またはその変異体を含み、ここで、X1は任意のアミノ酸であり、X2は任意のアミノ酸であり、X3は任意のアミノ酸である、
前記組成物。
[本発明1002]
ポリペプチドがアミノ酸配列
2020513418.tif 000007
からなる、本発明1000の組成物。
[本発明1003]
ポリペプチドがアミノ酸配列
2020513418.tif 000008
からなる、本発明1000の組成物。
[本発明1004]
ポリペプチドがアミノ酸配列
2020513418.tif 000009
からなる、本発明1000の組成物。
[本発明1005]
ポリペプチドが1つまたは2つのアミノ酸置換を有する、本発明1001の組成物。
[本発明1006]
別の抗ウイルス化合物をさらに含む、本発明1001〜1005のいずれかの組成物。
[本発明1007]
カプセル剤、錠剤、丸剤、散剤、顆粒剤、またはゲル剤の形態にある、本発明1001〜1005のいずれかの組成物。
[本発明1008]
滅菌pH緩衝塩水溶液の形態にある、本発明1001〜1005のいずれかの組成物。
[本発明1009]
ポリペプチドが、アミド化およびアセチル化からなる群より選択される少なくとも1つのアミノ酸修飾を有する、本発明1001〜1005のいずれかの組成物。
[本発明1010]
その必要がある対象におけるウイルス感染を予防または処置するための方法であって、
2020513418.tif 000010
を含むアミノ酸配列を含むポリペプチドの有効量を対象に投与する工程を含み、ここで、X1は任意のアミノ酸であり、X2は任意のアミノ酸であり、X3は任意のアミノ酸である、
前記方法。
[本発明1011]
ウイルス感染がジカウイルスである、本発明1010の方法。
[本発明1012]
ウイルス感染がデングウイルスである、本発明1010の方法。
[本発明1013]
ウイルス感染がインフルエンザウイルスである、本発明1010の方法。
[本発明1014]
ウイルス感染がHIVウイルスである、本発明1010の方法。
[本発明1015]
2020513418.tif 000011
を含むアミノ酸配列を含み、ここで、X1は任意のアミノ酸であり、X2は任意のアミノ酸であり、X3は任意のアミノ酸である、ポリペプチド。
[本発明1016]
X1がAである、本発明1015のポリペプチド。
[本発明1017]
X3がAである、本発明1015のポリペプチド。
[本発明1018]
異種プロモーターと機能的に組み合わされた、本発明1015のポリペプチドをコードする核酸。
[本発明1019]
本発明1018の核酸を含むベクター。
[本発明1020]
本発明1019のベクターを含む発現システム。
さらなる利点は、一部は以下の説明に示され、一部は説明から自明であるか、後述する局面の実施によって理解されうる。後述する利点は、特に添付の特許請求の範囲に示した要素および組合せを使って、実現され、達成されるであろう。上記の一般的説明および以下の詳細な説明は、単なる例示および解説であって、限定ではないことを理解すべきである。
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
少なくとも１種のフルオロポリマー及び少なくとも１種の溶媒を含む組成物であって、前記溶媒は、分枝状の部分フッ素化エーテルを含み、前記部分フッ素化エーテルは、下記式：
ＣｐＦ２ｐ＋１−Ｏ−ＣｑＨ２ｑ＋１
（式中、ｑは、１〜５の整数であり、ｐは、５〜１１の整数である）に相当し、
前記フルオロポリマーは、少なくとも９０重量％（１００重量％である前記ポリマーの総重量に基づいて）の、テトラフルオロエテン（ＴＦＥ）及び１種以上のペルフルオロ化アルキルエーテルから誘導される単位を含むコポリマーであり、前記ペルフルオロ化アルキルエーテルは、下記一般式：
Ｒｆ−Ｏ−（ＣＦ２）ｎ−ＣＦ＝ＣＦ２
（式中、ｎは１又は０であり、Ｒｆは、酸素原子が１個以上介在していてもよいペルフルオロアルキル残基を表す）に相当する、組成物。
【請求項２】
前記溶媒は、前記組成物の総重量に基づいて少なくとも２５重量％の量で存在し、前記組成物の総重量は１００重量％である、請求項１に記載の組成物。
【請求項３】
前記ＣｐＦ２ｐ＋１−単位は分枝状である、請求項１又は２に記載の組成物。
【請求項４】
前記組成物は、１００重量％である前記全組成物の重量に基づいて約５５〜９９．９重量％の量の前記部分フッ素化エーテルを含む、請求項１〜３のいずれか一項に記載の組成物。
【請求項５】
１００重量％である前記全組成物の重量に基づいて０．０１〜５５重量％の前記フルオロポリマーを含む、請求項１〜４のいずれか一項に記載の組成物。
【請求項６】
前記フルオロポリマーは、硬化性エラストマーであり、かつ１種以上の硬化部位モノマーから誘導される単位を更に含む、請求項１〜５のいずれか一項に記載の組成物。
【請求項７】
前記フルオロポリマーは、フルオロエラストマーであり、かつ過酸化物硬化系に対して反応性である１つ以上の硬化部位を含有する、請求項１〜６のいずれか一項に記載の組成物。
【請求項８】
前記フルオロポリマーは、硬化性フルオロエラストマーであり、かつ１種以上の硬化部位モノマーから誘導される硬化部位を含有し、前記硬化部位は、ニトリル基、ヨウ素基、臭素基、及びこれらの組み合わせを含有する硬化部位から選択される、請求項１〜７のいずれか一項に記載の組成物。
【請求項９】
前記フルオロポリマーは、硬化性ペルフルオロエラストマーであり、かつ非フッ素化又は部分フッ素化コモノマーから誘導される繰り返し単位は含有しないが、ペルフルオロ化、部分フッ素化若しくは非フッ素化硬化部位モノマーから誘導される単位、並びに／又はペルフルオロ化、部分フッ素化及び非フッ素化されたビスオレフィン、ビスオレフィン−エーテル、及びビスオレフィン−ポリエーテルから選択される１種以上の改質剤モノマーから誘導される単位は含有してもよい、請求項１〜８のいずれか一項に記載の組成物。
【請求項１０】
前記フルオロポリマーは、硬化性エラストマーであり、かつ硬化部位を更に含み、前記組成物は、前記フルオロエラストマーを硬化させるための少なくとも１種の硬化剤を更に含む、請求項１〜９のいずれか一項に記載の組成物。
【請求項１１】
前記組成物は、含浸、スプレーコーティング、溶媒キャスティング、バーコーティング、スクリーン印刷、３Ｄ印刷、塗装、ディップコーティング、及びローラーコーティング用のコーティング組成物から選択されるコーティング組成物である、請求項１〜１０のいずれか一項に記載の組成物。
【請求項１２】
前記フルオロポリマーを前記溶媒中に溶解させることを含む、請求項１〜１１のいずれか一項に記載の組成物の製造方法。
【請求項１３】
前記フルオロポリマーを硬化させるために好適な１種以上の硬化剤を前記組成物に添加することを更に含み、前記１種以上の硬化剤は、前記フルオロポリマーを前記溶媒中に溶解させる前、その後、又はそれと同時に前記フルオロポリマーに添加してもよく、前記フルオロポリマーは硬化性である、請求項１２に記載の方法。
【請求項１４】
請求項１〜１１のいずれか一項に記載の組成物から得られるコーティングを含む、物品。
【請求項１５】
コーティングされた基材の製造方法であって、
（ｉ）請求項１〜１１のいずれか一項に記載の組成物を前記基材に適用することと、
（ｉｉ）前記溶媒を除去することと、
を含む、製造方法。
【請求項１６】
前記組成物を硬化させることをさらに含み、前記硬化は、前記溶媒の除去の後、前記溶媒の除去と同時、又は前記溶媒の除去の前に行ってもよい、請求項１５に記載の方法。